(57)【要約】【課題】光コンセント用コネクタにおいて、簡単な構成により、組込が容易で確実に遮光できるとともに耐久性に優れる遮光扉を備える。【解決手段】コネクタ１は、前後方向両端にそれぞれ開口１１及び開口１２を有し、突起２０により外形の上下が区別される合成樹脂成形体からなる略矩形筒状のハウジング２と、開口１１，１２から挿入されるプラグをそれぞれ着脱自在に係止して、プラグの保持した光ファイバを互いに光結合させるためハウジング２に内蔵されたスリーブ４と、プラグの着脱に伴って自在に開閉する遮光用の観音開扉３と、を備えている。観音開扉３は、回転軸とされる大径の頭部を有する軸ピン３２を備え、軸ピン３２は、頭部端側をハウジング２の開口端に設けた支持溝に収納するとともに軸ピン３２の頭部と反対側端部をハウジング２の開口端近傍に設けた支持孔に挿通して抜止係止して配置されている。【選択図】図３
2006003469.tif 000002
【特許請求の範囲】
【請求項１】
長手方向両端にそれぞれ第１開口及び第２開口を有する略筒状のハウジングと、前記第１開口から挿入される第１光ファイバを保持している第１プラグ及び前記第２開口から挿入される第２光ファイバを保持している第２プラグをそれぞれ着脱自在に係止し、前記第１及び第２光ファイバを互いに光結合させるための前記ハウジングに内蔵されたスリーブと、を備えた光コンセント用コネクタにおいて、
前記第１又は第２開口の少なくともいずれか一方の開口には前記プラグの着脱に伴って自在に開閉する遮光用の観音開扉が設けられ、
前記観音開扉は、当該観音開扉の回転軸とされる大径の頭部を有する軸ピンを備え、前記軸ピンは、前記頭部端側を前記ハウジングの開口端に設けた支持溝に収納するとともに当該軸ピンの頭部と反対側端部を前記ハウジングの開口端近傍に設けた支持孔に挿通して抜止係止して配置されていることを特徴とする光コンセント用コネクタ。
【請求項２】
前記観音開扉は、回転防止リブを備え、
前記ハウジングは、前記観音開扉が設けられた開口側の内壁に当接壁を備え、
前記回転防止リブが前記当接壁に当接し前記観音開扉が当該ハウジングの外側方向に回動するのを制限することを特徴とする請求項１に記載の光コンセント用コネクタ。
【請求項３】
前記軸ピンが、当該軸ピンの頭部と反対側端部にカシメ部を形成して抜止係止されていることを特徴とする請求項１又は請求項２に記載の光コンセント用コネクタ。
【請求項４】
前記軸ピンが、接着剤により抜止固定されているか、又は、当該軸ピンを樹脂成形品により形成して熱溶着により抜止固定されていることを特徴とする請求項１乃至請求項３のいずれかに記載の光コンセント用コネクタ。
【発明の詳細な説明】
【技術分野】
【０００１】
本発明は、光コンセント用コネクタに関する。
【背景技術】
【０００２】
従来、造営物などに配設された光ファイバに着脱自在に他の光ファイバを接続する光コンセント用コネクタが提案されている（例えば、特許文献１参照）。ところで、特許文献１に示されるようなコネクタにおいては、光ファイバを備えて適宜着脱されるプラグがコネクタに接続されていない状態では、造営物などに配設された光ファイバを介して送られてくるレーザ光がコネクタから漏洩するため、コネクタのプラグ挿入口を一々蓋で閉塞する必要があった。そこで、本願発明者らは、非使用時における光漏洩が無く、しかもプラグ着脱に伴い自動的に遮光扉が開閉する光コンセント用コネクタを提案している（特願２００３−３３０３５３）。
【０００３】
上述の遮光扉を備えた光コンセント用コネクタを、図１３（ａ）〜（ｅ）を参照して説明する。図中に示した前後左右上下の方向を適宜参照する。この光コンセント用コネクタ（以下、単にコネクタ）は、合成樹脂成形体からなる中空直方体状のハウジング２と、ハウジング２の内部に挿入係止されたスリーブ４と、ハウジング２の前方の開口１１に設けられた遮光扉９（９ａ，９ｂ）と、を備えている。このコネクタは、前方の開口１１から挿入される、例えばＪＩＳ規格で決められた標準（ＪＩＳＦ０４形）の光ファイバ用プラグを着脱自在に係止するとともに、造営物などに配設された光ファイバを保持して後方の開口１２から挿入されるプラグを着脱可能に係止して、互いのプラグに保持された光ファイバを光結合させるものである。このコネクタは、２連のプラグ接続が可能であり、屋内の壁面などに設置して用いられる。
【０００４】
ハウジング２は、内部空間を隔壁により左右に仕切り、それぞれの空間にそれぞれ同一構造のスリーブ４と遮光扉９を備えている。スリーブ４は、軸方向に割溝の形成された調芯筒４０を内部に装着している。この調芯筒４０は、前後から挿入されるプラグが保持した光ファイバを調芯する。スリーブ４の前方と後方には、それぞれ左右一対のプラグ係止用腕木４３，４４が設けられている。
【０００５】
開口１１に設けられた遮光扉９は、奥向きに観音開きされる左右一対の扉体９ａ，９ｂから成る。各扉体９ａ，９ｂは、捻りコイルバネ９３によってハウジング２の内部から外部に向かって回転する方向に付勢され、また、ハウジング２の上方壁面に設けられた貫通孔から挿入された回転抑制ピン９５によって回転限界が決定されて、遮光時の所定位置に位置決めされる。なお、右側の開口１１において、プラグは挿入されていないが、説明のため開状態の遮光扉９が示されている。
【０００６】
上述の扉体９ａ，９ｂのハウジングへの取付について説明する。扉体９ａ、９ｂの後面には、例えば扉体９ａについて図１３（ｄ）に示すように、捻りコイルバネ収納凹部９３ａが形成されており、捻りコイルバネ９３のコイル部分に挿通したコイル支持ピン９４が、その両端部が支持されるように捻りコイルバネ収納凹部９３ａに圧入される。
【０００７】
また、左右に突出した軸ピン９１が、扉体９ａ，９ｂとの一体成形によって扉体９ａ，９ｂの回転軸位置に形成されている。この軸ピン９１は、ハウジング２の上下壁に設けられた軸孔９２に、ハウジングの前方から圧入される。そこで、上述した捻りコイルバネ９３を備えた扉体９ａ，９ｂの軸ピン９１を軸孔９２に圧入した後、回転抑制ピン９５を前記貫通孔に挿入することにより、遮光扉９のハウジング２への組込が完了する。
【特許文献１】特開２０００−３３８３６７号公報
【発明の開示】
【発明が解決しようとする課題】
【０００８】
しかしながら、上述した図１３に示す光コンセント用コネクタにおいては、依然として以下に示すような問題点がある。すなわち、遮光扉９をハウジング２に組み込むため扉体９ａ又は扉体９ｂの軸ピン９１を軸孔９２に圧入する際や、光ファイバ接続のため遮光扉９を押し広げつつ光ファイバ付きプラグを挿入する際に、不適切な圧入や挿入作業によっては、遮光扉９の軸ピン９１に大きな荷重がかかり、軸ピン９１が壊れてしまうことがある。また、回転抑制ピン９５が開口１１の内部に入り過ぎた状態になることがあり、この場合、プラグを抜き取った際に、遮光扉９が閉じる途中で回転抑制ピン９５に当たるため半閉じ状態になる。逆に、抑制ピン９５が開口１１の内部に充分に向けて挿入されていないと、扉回転抑制ができないため遮光扉９がコネクタの外部に飛び出てくることになる。
【０００９】
本発明は、上記課題を解消するものであって、簡単な構成により、組込が容易で確実に遮光できるとともに耐久性に優れる遮光扉を備えた光コンセント用コネクタを提供することを目的とする。
【課題を解決するための手段】
【００１０】
上記課題を達成するために、請求項１の発明は、長手方向両端にそれぞれ第１開口及び第２開口を有する略筒状のハウジングと、前記第１開口から挿入される第１光ファイバを保持している第１プラグ及び前記第２開口から挿入される第２光ファイバを保持している第２プラグをそれぞれ着脱自在に係止し、前記第１及び第２光ファイバを互いに光結合させるための前記ハウジングに内蔵されたスリーブと、を備えた光コンセント用コネクタにおいて、前記第１又は第２開口の少なくともいずれか一方の開口には前記プラグの着脱に伴って自在に開閉する遮光用の観音開扉が設けられ、前記観音開扉は、当該観音開扉の回転軸とされる大径の頭部を有する軸ピンを備え、前記軸ピンは、前記頭部端側を前記ハウジングの開口端に設けた支持溝に収納するとともに当該軸ピンの頭部と反対側端部を前記ハウジングの開口端近傍に設けた支持孔に挿通して抜止係止して配置されているものである。
【００１１】
請求項２の発明は、請求項１に記載の光コンセント用コネクタにおいて、前記観音開扉は、回転防止リブを備え、前記ハウジングは、前記観音開扉が設けられた開口側の内壁に当接壁を備え、前記回転防止リブが前記当接壁に当接し前記観音開扉が当該ハウジングの外側方向に回動するのを制限するものである。
【００１２】
請求項３の発明は、請求項１又は請求項２に記載の光コンセント用コネクタにおいて、前記軸ピンが、当該軸ピンの頭部と反対側端部にカシメ部を形成して抜止係止されているものである。
【００１３】
請求項４の発明は、請求項１乃至請求項３のいずれかに記載の光コンセント用コネクタにおいて、前記軸ピンが、接着剤により抜止固定されているか、又は、当該軸ピンを樹脂成形品により形成して熱溶着により抜止固定されているものである。
【発明の効果】
【００１４】
請求項１の発明によれば、観音開扉の回動軸を軸ピンにより構成し、軸ピンの頭部側端を支持溝に収納し、他端を支持孔に挿通して抜止係止して遮光用の観音開扉をハウジングの開口端に設けるので、ハウジングへの遮光用扉の組み込みが容易かつ確実であり、従って、組み込み中の部品損壊が発生せず、また、遮光用扉の組み込み不良や動作不良の発生がなくなる。
【００１５】
請求項２の発明によれば、観音開扉に備えた回転防止リブとハウジングの開口側の内壁に備えた当接壁により、観音開扉の閉状態において観音開扉がハウジングの外部方向に回動するのを制限して、確実に遮光できる。
【００１６】
請求項３又は請求項４の発明によれば、軸ピンの抜止係止が確実かつ容易になされる。
【発明を実施するための最良の形態】
【００１７】
以下、本発明の一実施形態に係る光コンセント用コネクタについて、図面を参照して説明する。図中に示した前後左右上下の方向を適宜参照する。図１は、光コンセント用コネクタ（以下、単にコネクタ）１を示し、図２は、コネクタ１の使用状態、及び設置状態を示し、図３はコネクタ１の内部構造を示す。
【００１８】
コネクタ１は、図１に示すように、略直方体のハウジング２の前面に観音開扉３を２組備えており、２系統の光ファイバを接続できる。すなわち、後方Ｙ方向からプラグに保持されて２系統の光ファイバがハウジング２内に導入され、前方Ｘ方向から、例えばＪＩＳ規格で決められた標準（ＪＩＳＦ０４形）の光ファイバ用プラグに保持された２系統の光ファイバがそれぞれ独立にハウジング２内に導入され、既に導入されている光ファイバに対し、それぞれ光結合される。観音開扉３は、プラグの非挿入時には閉じており、プラグ挿入時には、プラグの挿入圧によって、左右に開扉され、プラグの引き抜き時には、観音開扉３に内蔵された捻りコイルバネ３３（図３（ｂ））の付勢力によって自動的に閉状態となる。
【００１９】
コネクタ１は、図２（ａ）に示すように、例えば屋内の壁面１０２に取りつけられたコンセント筐体１００の片開き蓋１０１に固定して用いられる。コネクタ１の後部には、壁内を引き回して敷設された光ファイバＦ２を保持したプラグＰ２が挿入保持されている。また、蓋１０１が開かれた状態において、コネクタ１の前面はコンセント筐体１００の外部を望んでおり、この前面から、例えば屋内の光通信機器に接続された光ファイバＦ１を保持している標準プラグＰ１がコネクタ１に挿入されている。この、蓋１０１が開かれた状態において、プラグＰ１がコネクタ１に挿入されていない場合、上述の観音開扉３が、光ファイバＦ２によって導波され放出されるレーザ光を遮断する。なお、図２（ｂ）は、コンセント非使用時のコネクタ１の収納状態を示す。
【００２０】
コネクタ１の内部構造を説明する。コネクタ１は、図３に示すように、前後方向両端にそれぞれ開口１１及び開口１２を有し、突起２０により外形の上下が区別される合成樹脂成形体からなる略矩形筒状のハウジング２と、開口１１，１２から挿入されるプラグＰ１，Ｐ２（図２参照）をそれぞれ着脱自在に係止して、プラグＰ１，Ｐ２の保持した光ファイバを互いに光結合させるためハウジング２に内蔵されたスリーブ４と、プラグＰ１の着脱に伴って変形して開口１１を自在に開閉する一対の扉片３０からなる観音開扉３と、を備えている。
【００２１】
ハウジング２の内部空間は、隔壁により左右に仕切られ、それぞれの空間にそれぞれ同一構造のスリーブ４と観音開扉３を備えている。スリーブ４は、割溝の形成された調芯筒４０を内部に装着しており、この調芯筒４０は、前後から挿入される前述のプラグＰ１，Ｐ２が保持した光ファイバを調芯する。なお、図３（ｄ）において、プラグは挿入されていないが、説明のため開状態の扉片３０が示されている。
【００２２】
次に、図４、図５、図６を参照して上述のハウジング２とスリーブ４を説明する。図４（ａ）〜（ｂ）に示すように、ハウジング２の内部の天井面２１に、前述のスリーブ４をハウジング２内に係止するための複数の突起２２と、前述のプラグＰ１の位置決めを行うための凹段部２３と、さらにプラグＰ１が備える位置決め用突起２４ａ（図１２参照）と嵌合して直線挿入を確保するキー溝２４及びこれに連続する平面と、が形成されている。また、内部床面２５においても、同様に複数の突起２２と、凹段部２３が形成されている。さらに、隔壁２８の内面においても、スリーブ４の係止用の突起２２ａが形成されている。
【００２３】
ハウジング２の上壁の前端部には、後述する観音開扉の軸ピン３２を収納するための支持溝２６が４ヶ所設けられ、下壁の前部には、軸ピン３２を挿通するための座ぐり付きの支持孔２７が４ヶ所設けられている。
【００２４】
図５（ａ）（ｂ）に示すハウジング２の前面図、後面図において、上述の突起２２、２２ａ、キー溝２４、支持溝２６、支持孔２７等の配置と構造が分かる。
【００２５】
スリーブ４は、図６（ａ）〜（ｄ）に示すように、ハウジング２の内部空間に内接する矩形形状部４１と、この矩形形状部４１の前後の面からそれぞれ前方、後方に延設された左右一対のプラグ係止用腕木４３，４４と、矩形形状部４１の前面中央部から前方に延びる筒体４２と、矩形形状部４１の後面から後方に延びる上下一対の、前述のプラグＰ２を位置決めする位置決め板４５と、を備えている。
【００２６】
矩形形状部４１の上下面には、上述のハウジング２の天井面２１と床面２５に設けられた突起２２と嵌合する凹部４１ａが形成されている。また、矩形形状部４１には、筒体４２の内部空間と連通する円形孔が設けられており、円形孔には、前述のように、前後から挿入される前述のプラグＰ１，Ｐ２が保持した光ファイバを調芯する割溝の形成された調芯筒４０が装着されている。
【００２７】
次に、図７、図８（ａ）〜（ｄ）を参照して、観音開扉３について説明する。観音開扉３は、図７、図８に示す扉片３０を２つ用いて構成される。扉片３０は、遮光機能を有する扉部材３１と、扉部材３１の回動軸となる軸ピン３２と、扉部材３１を閉扉状態に自動復帰させる付勢力を与える捻りコイルバネ３３とから成る。扉部材３１は、一端面付近においてテーパ形状となった、次第に厚みが減少する大略扁平直方体形状を有している。この厚み減少部分は、観音開扉３が閉状態のときに２つの扉部材３１を互いに重ねる部分であり、この重ね部分により遮光が確実とされる（図３（ｂ）参照）。また、扉部材３１には、回転防止リブ３１ｇが設けられている（後述）。
【００２８】
扉部材３１の前面３１ａは、上述のテーパ形状により、コネクタ１に着脱されるプラグＰ１（図２）が接触して滑りながら観音開扉３を開閉し易く、また、観音開扉３の閉状態における外観面に相応しい構造に成っている。また、扉部材３１の後面３１ｂには、捻りコイルバネ３３のコイル本体部分と２つの腕部分とを収納する凹部３１ｃ，３１ｄ，３１ｅが設けられている。
【００２９】
軸ピン３２は、大径の頭部３２ｘを有する、例えば、金属製の丸材である。扉部材３１の厚みが減少する端面と反対側の端面近傍において、軸ピン３２を挿通する貫通孔３１ｆが設けられている。扉片３０のハウジング２への組込の際に、扉部材３１の凹部３１ｃ，３１ｄ，３１ｅに捻りコイルバネ３３を収納した後、貫通孔３１ｆに軸ピン３２の端部３２ｙが挿入される（後述）。
【００３０】
次に、図９、図１０を参照して、観音開扉３のハウジング２への組み込みについて説明する。図９（ａ）（ｂ）は、観音開扉３が組み込まれる前のハウジング２の前面を示しており、この図のＰ−Ｐ断面、及びＱ−Ｑ断面における観音開扉３の組込の様子を図１０（ａ）〜（ｃ）に示す。上述の扉片３０の軸ピン３２は、各開口１１の左右の上下部分を介して装着される。すなわち、軸ピン３２の頭部３２ｘ側は、支持溝２６に収納され、頭部３２ｘと反対側の端部３２ｙは支持孔２７に挿通される。
【００３１】
観音開扉３、従って扉片３０のハウジング２への組込は、図１０（ａ）に示すように、扉部材３１に捻りコイルバネ３３を装着した状態でハウジング２の開口１１に納めるとともに、軸ピン３２をハウジング２の支持溝２６、扉部材３１の貫通孔３１ｆ、さらにハウジング２の支持孔２７に挿通して行われる。支持溝２６は、斜視図で示すように軸ピン３２の軸径と幅ａが略同幅の切欠２６ａと、この切欠２６ａに連通してハウジング２の外壁面に設けられた軸ピン３２の頭部３２ｘが納まる形状の座刳部２６ｂからなる。また、支持孔２７は、軸ピン３２の軸径と略同型の孔とこの孔に連通してハウジング２の外壁面に設けられた座刳部とからなる。
【００３２】
ハウジング２の支持溝２６に納められた軸ピン３２は、その頭部３２ｘが座刳部２６ｂに納められているので、軸ピン３２の軸方向以外は抜け出ることなく、支持溝２６に支持されている。このような支持溝２６の構造は、軸ピン３２を必ずしも支持溝２６の軸方向から挿入する必要がなく、組込が容易な構造となっている。
【００３３】
続いて、図１０（ｂ）に示すように、支持孔２７の座刳部において、軸ピン３２の端部３２ｙをカシメ加工して軸ピン３２の径より大きな形状のカシメ部３２ｚを形成し、軸ピン３２が抜け出ないようにして組込が完了する。なお、図１０（ｃ）は、扉部材を含めた断面を示す。また、軸ピン３２をネジ止めや接着剤により固定したり、金属製の軸ピンのかわりに成形品の軸ピンにして軸ピンの端部３２ｙを熱変形させて抜止加工することもできる。
【００３４】
次に、図１１（ａ）（ｂ）を参照して、回転防止リブ３１ｇと当接壁２８ａによる観音開扉の過開防止について説明する。上述したように、観音開扉３の扉部材３１は、回転防止リブ３１ｇを備えている。また、ハウジング２は、図１１（ａ）に示すように、回転防止リブ３１ｇの当接面３１ｈが当接する当接壁２８ａを開口１１の内壁に備えている。従って、閉扉状態の扉部材３１は、図１１（ｂ）に示すように、回転防止リブ３１ｇの当接面３１ｈが当接壁２８ａに当接することによりハウジング２の外側方向に回動することが防止されている。この、扉部材３１に設けた回転防止リブ３１ｇの長さは、前出の図７，図８に示すように、扉部材３１の上下方向長さの半分以下とされているので、互いに１８０゜回転させた同一形状の扉部材３１を用いて観音開扉３を構成することができる。
【００３５】
図１２（ａ）（ｂ）は、上述したハウジング２、観音開扉３、及びスリーブ４を備えて構成されたコネクタ１にプラグを挿入した状態を示す。プラグＰ１はプラグ係止用腕木４４により係止され、プラグＰ２は位置決め用突起２４ａとキー溝２４が嵌合した状態でプラグ係止用腕木４３により係止されている。両プラグＰ１，Ｐ２の先端部は、調芯筒４０によって調芯された状態となり、互いの光ファイバが光結合されている。なお、本発明は、上記構成に限られることなく種々の変形が可能である。例えば、コネクタ１は、２系統の光ファイバを接続する以外に、１系統の光ファイバや３系統以上の光ファイバを接続するように構成できる。
【図面の簡単な説明】
【００３６】
【図１】本発明の一実施形態に係る光コンセント用コネクタの斜視図。
【図２】（ａ）は同上コネクタの使用状態を示す一部断面側面図、（ｂ）は同上コネクタの設置状態を示す一部断面側面図。
【図３】（ａ）は同上コネクタの前面図、（ｂ）は（ａ）のＡ１−Ａ２矢視図及びＡ３−Ａ４−Ａ５−Ａ６断面図、（ｃ）は同上コネクタの後面図、（ｄ）は（ａ）のＢ−Ｂ断面図。
【図４】（ａ）は同上コネクタのハウジングの前後左右平面による断面図、（ｂ）は同ハウジングの前後上下平面による断面図、（ｃ）は（ｄ）のＦ−Ｆ断面図、（ｄ）は（ｂ）のＤ１−Ｄ１断面図及びＤ２矢視図。
【図５】（ａ）は同上コネクタのハウジングの前面図、（ｂ）は後面図。
【図６】（ａ）は同上コネクタのスリーブの上方向からの平面図、（ｂ）は同スリーブの後面図、（ｃ）は同スリーブの前後左右平面による断面図、（ｄ）は（ｃ）のＧ−Ｇ断面図。
【図７】同上コネクタの観音開扉を構成する扉片の分解斜視図。
【図８】（ａ）は同上観音開扉の扉部材の前面図、（ｂ）は同扉部材の側面図、（ｃ）は同扉部材の後面図及び断面形状図、（ｄ）は（ｃ）のＨ−Ｈ断面図。
【図９】（ａ）は同上コネクタのハウジングの前面図、（ｂ）は（ａ）のＪ−Ｊ部分断面図。
【図１０】（ａ）は同上ハウジングに観音開扉を取り付ける様子を説明するハウジングの一部断面図と一部拡大斜視図及び扉片と軸ピンの外観図、（ｂ）は（ａ）に示した工程の後に軸ピンにカシメ部を形成した状態のハウジングの一部断面図と開状態扉片、（ｃ）は観音開扉が開状態の同上コネクタの断面図。
【図１１】（ａ）は同上コネクタの開状態の観音開扉の軸ピン近傍の断面図、（ｂ）は同閉状態の観音開扉の軸ピン近傍の断面図。
【図１２】（ａ）は同上コネクタの使用状態を示す前後左右平面による断面図及び挿入されたプラグの下面図、（ｂ）は同上コネクタの使用状態を示す前後上下平面による断面図及び挿入されたプラグの側面図。
【図１３】（ａ）は先願に係る光コンセント用コネクタの前面図、（ｂ）は（ａ）のＶ−Ｖ断面図、（ｃ）は同コネクタの後面図、（ｄ）は（ａ）のＵ−Ｕ断面図、（ｅ）は（ａ）のＷ−Ｗ断面図。
【符号の説明】
【００３７】
１    光コンセント用コネクタ
２    ハウジング
３    観音開扉
４    スリーブ
２６    支持溝
２７    支持孔
３２    軸ピン
２８ａ    当接壁
３１ｇ    回転防止リブ
３２ｘ    頭部
３２ｚ    カシメ部
Ｆ１，Ｆ２    光ファイバ
Ｐ１，Ｐ２    プラグ
【図１】
2006003469.tif 000003
【図２】
2006003469.tif 000004
【図３】
2006003469.tif 000005
【図４】
2006003469.tif 000006
【図５】
2006003469.tif 000007
【図６】
2006003469.tif 000008
【図７】
2006003469.tif 000009
【図８】
2006003469.tif 000010
【図９】
2006003469.tif 000011
【図１０】
2006003469.tif 000012
【図１１】
2006003469.tif 000013
【図１２】
2006003469.tif 000014
【図１３】
2006003469.tif 000015